(57)【要約】【課題】発射ハンドルを小型化するとともに、より操作しやすいパチンコ機を提供する。【解決手段】発射停止ボタンは、押し込み操作をしなくても、前方もしくは後方位置へ操作するだけで、遊技球の発射停止スイッチのＯＮ／ＯＦＦができるようにした。よって、発射停止ボタンを押し込むタイプのパチンコ機に見られるように、ストローク部分を発射ハンドルから突出させる必要がなく、発射ハンドルを小型化することができる。また、発射停止ボタンの前方に突出部を設けることで、操作をよりし易くした。【選択図】図６
2010220977.tif 000002
【特許請求の範囲】
【請求項１】
遊技球を発射する発射装置と、
前後方向へ長い筒状部材の前部に、回動自在にダイヤルが取り付けられてなり、前記ダイヤルの回動操作に応じて前記発射装置を作動させる発射ハンドルと、
前記発射装置の動作を停止する発射停止装置とを備えてなるパチンコ機であって、
前記発射停止装置が、前記筒状部材の内部に取り付けられる発射停止スイッチと、前記筒状部材の外部に露出しており、前記発射停止スイッチをＯＮする後方位置と前記発射停止スイッチをＯＦＦする前方位置との間を前後方向へ操作可能に設けられた発射停止ボタンとからなることを特徴とするパチンコ機。
【請求項２】
前記発射停止ボタンに、前記前方位置において、前記ダイヤルの外周面を非接触で覆う被覆部を設けたことを特徴とする請求項１に記載のパチンコ機。
【請求項３】
前記ダイヤルに係止部を、前記発射停止ボタンに前記係止部が係止可能な被係止部を設けており、
前記ダイヤルが前記発射装置を作動させない初期回動位置にある場合に、前記係止部が前記被係止部に係止し、前記発射停止ボタンが前記後方位置で保持されることを特徴とする請求項１又は２に記載のパチンコ機。
【請求項４】
前記発射停止ボタンに、前記後方位置において前記筒状部材の外周面に当接し、前記発射停止ボタンの更なる後方への操作を規制する規制突起を設けたことを特徴とする請求項１〜３の何れかに記載のパチンコ機。
【発明の詳細な説明】
【技術分野】
【０００１】
本発明は、遊技球の発射停止スイッチを備えたパチンコ機に関するものである。
【背景技術】
【０００２】
一般的なパチンコ機には、発射ハンドルを操作した状態で、遊技球の発射を停止する発射停止ボタンが備えられている。この発射停止ボタンは、例えばリーチが発生し且つ特別図柄の保留球ランプがすべて点灯している場合や、あるいは持ち玉が少ない状態で始動口に入賞した場合等に、特別図柄の変動が停止するまで発射を停止させるために利用される。そして、従来のパチンコ機において、発射停止ボタンは、発射ハンドルの筒状部材周面に設けられており（たとえば、特許文献１）、当該発射停止ボタンを筒状部材の径方向へ押し込み操作することによって、発射停止／停止解除するようになっていた。
【先行技術文献】
【特許文献】
【０００３】
【特許文献１】特開２００６−７５２６６号公報
【発明の概要】
【発明が解決しようとする課題】
【０００４】
しかしながら、特許文献１のパチンコ機では、発射停止ボタンを径方向へ押し込み操作するため、筒状部材の周面から押し込み操作に必要なストロークだけ突出させる必要がある。したがって、発射ハンドルが大型化するといった問題がある。また、構造上、筒状部材の前部に組み付けられるダイヤルに干渉しないように、ダイヤルよりも後方位置に発射停止ボタンを設けなければならないため、特に女性や手の小さい遊技者にしてみると、ダイヤルの操作中に発射停止ボタンを操作しにくいといった問題がある。さらに、部材の運搬時や管理中に、筒状部材から突出した発射停止ボタンが引っ掛かる等して破損しやすいといった問題も考えられる。
【０００５】
そこで、本発明は、上記事情に鑑みてなされたものであり、その目的は、発射停止ボタンの発射ハンドルからの突出量を抑えることにより発射ハンドルを小型化し、且つ、より発射停止ボタンを操作しやすいパチンコ機を提供することにある。
【課題を解決するための手段】
【０００６】
上記目的を達成するために、本発明のうち請求項１に記載の発明は、遊技球を発射する発射装置と、前後方向へ長い筒状部材の前部に、回動自在にダイヤルが取り付けられてなり、前記ダイヤルの回動操作に応じて前記発射装置を作動させる発射ハンドルと、前記発射装置の動作を停止する発射停止装置とを備えてなるパチンコ機であって、前記発射停止装置が、前記筒状部材の内部に取り付けられる発射停止スイッチと、前記筒状部材の外部に露出しており、前記発射停止スイッチをＯＮする後方位置と前記発射停止スイッチをＯＦＦする前方位置との間を前後方向へ操作可能に設けられた発射停止ボタンとからなることを特徴とする。
【０００７】
請求項２に記載の発明は、請求項１に記載の発明に加えて、前記発射停止ボタンに、前記前方位置において、前記ダイヤルの外周面を非接触で覆う被覆部を設けたことを特徴とする。
【０００８】
請求項３に記載の発明は、請求項１又は２に記載の発明に加えて、前記ダイヤルに係止部を、前記発射停止ボタンに前記係止部が係止可能な被係止部を設けており、前記ダイヤルが前記発射装置を作動させない初期回動位置にある場合に、前記係止部が前記被係止部に係止し、前記発射停止ボタンが前記後方位置で保持されることを特徴とする。
【０００９】
請求項４に記載の発明は、請求項１〜３に記載の発明に加えて、前記発射停止ボタンに、前記後方位置において前記筒状部材の外周面に当接し、前記発射停止ボタンの更なる後方への操作を規制する規制突起を設けたことを特徴とする。
【発明の効果】
【００１０】
請求項１に記載の発明によれば、発射停止ボタンを前方もしくは後方位置へ操作するだけで、遊技球の発射停止スイッチをＯＮ／ＯＦＦすることができる。よって、発射停止ボタンを押し込むタイプのパチンコ機のように、発射停止ボタンの押し込み操作に必要なストローク部分を発射ハンドルから突出させる必要がなく、発射ハンドルを小型化することができる。
【００１１】
請求項２に記載の発明によれば、発射停止ボタンにダイヤル外周を覆う被覆部を形成することで、発射停止ボタンが従来のパチンコ機より前方にせり出して設けられるため、遊技者が発射ハンドルを握った状態のままでも、押し易い。
【００１２】
請求項３に記載の発明によれば、ダイヤルが初期回動位置に戻ると、ダイヤルの係止部が発射停止ボタンの被係止部に係止し、前記発射停止ボタンが後方位置へ操作されるため、遊技球の発射を確実に停止することができる。
【００１３】
請求項４に記載の発明によれば、後方位置より後に発射停止ボタンを押し込めようとしても、発射停止ボタンに設けた規制突起と発射ハンドルの筒状部材とが当接するため、それ以上押し込められず、部材が故障しにくい。
【図面の簡単な説明】
【００１４】
【図１】パチンコ機の外観を前面側から示した説明図である。
【図２】パチンコ機の外観を後面側から示した説明図である。
【図３】本発明の実施形態における発射ハンドルを示した斜視説明図である。
【図４】発射ハンドルを側方から示した説明図である。
【図５】発射ハンドルのダイヤルを、（ａ）下方側から示した説明図であり、（ｂ）側方から示した説明図である。
【図６】パチンコ機が遊技動作していない時の図４のＡ−Ａ線に沿った発射ハンドルの断面説明図である。
【図７】パチンコ機が遊技動作中の発射ハンドルを示した説明図である。
【図８】パチンコ機の遊技動作中に、遊技球の発射を停止する操作例を示した説明図である。
【図９】（ａ）本発明の発射停止スイッチの変更例を示した説明図であり、（ｂ）パチンコ機が遊技動作していない時の図８（ａ）の発射停止スイッチを示した説明図である。
【発明を実施するための形態】
【００１５】
以下、本発明のパチンコ機の一実施形態について、図面に基いて詳細に説明する。
【００１６】
図１におけるパチンコ機１は、パチンコ機１本体を支持する機枠３に、金属製のフレーム部材であるミドル枠５を介して遊技盤２を設置すると共に、該遊技盤２の前方を閉塞可能な前扉４を片開き自在に取り付けてなるものである。そして、該前扉４により閉塞される遊技盤２の前方空間（遊技盤２の前面）を、遊技球が流下する略円形の遊技領域２ａとしている。
【００１７】
遊技領域２ａは、円弧状に配設された外レール及び内レール等により囲まれており、当該遊技領域２ａへは、外レールと内レールとの間に形成される発射通路を介して遊技球を打ち込み可能となっている。また、遊技領域２ａの略中央には、「０」〜「９」の数字や絵柄等からなる「図柄」を表示する図柄表示領域６が設けられている。さらに、遊技領域２ａには、図示しない多数の遊技釘、遊技球が通過可能なゲート部材、一対の爪片を開閉動作可能に備えたチューリップ式電動役物、開閉可能な扉部材を有する大入賞装置、遊技球が入賞可能な入賞部材、風車等が設置されている。
【００１８】
機枠３の前面側であって遊技盤２の下方には、遊技球を発射装置１０へ供給するための供給皿７、及び該供給皿７から溢れた遊技球を貯留するための貯留皿８が機枠３に対して片開き可能に取り付けられている。また、貯留皿８の近傍には、発射装置１０を作動させるための発射ハンドル９が設置されている。
【００１９】
一方、図２に示した機枠３の後面側には、供給皿７へ貸球や賞品球として払い出される遊技球を貯留するための貯留タンク１１，当該貯留タンク１１と連結された払い出し装置１２、「図柄」を図柄表示領域６内に表示させるための液晶表示装置（図示せず）、払い出し装置１２や液晶表示装置等の動作を統合的に制御するサブ統合基板を内蔵したサブ制御装置（図示せず）が設置されているとともに、遊技に係る制御（たとえば、所謂「大当たり抽選」等）を実行するためのメイン制御基板２１を内蔵してなる主制御装置２０が設置されている。
【００２０】
以上のようなパチンコ機１では、遊技者によって発射ハンドル９が回動操作されると、発射装置１０が作動して遊技球が遊技領域２ａ内へ打ち込まれる。そして、遊技領域２ａを流下する遊技球がチューリップ式電動役物へ入賞すると、メイン制御基板２１にて所謂「大当たり抽選」を行い、「大当たり」である場合には、図柄表示領域６に所定態様の図柄を確定表示した後、大入賞装置の扉部材を所定回数にわたって断続的に開成させるといった所謂「大当たり状態」を生起させる。
【００２１】
次に本発明の要部となる発射ハンドル９について図面を用いて説明する。
図３は、発射ハンドル９の外観を示した説明図であり、図４は、発射ハンドル９を側方から示した説明図である。
発射ハンドル９は、前後方向へ長い筒状に形成された筒状部材３１、筒状部材３１の前方に取り付けられ、筒状部材３１に対して時計回り方向へ回動操作可能に設置されたダイヤル３２、ダイヤル３２の前方に取り付けられた外カバー部材３３、及び遊技球の発射停止を制御する発射停止装置２９から構成されている。そして、発射ハンドル９は、筒状部材３１の後端をパチンコ機１の取付孔１３（図２に示す）へ差し込み、パチンコ機１から前方へ突出するような姿勢で設置される。
【００２２】
筒状部材３１は、一対のケース部材を組み付けて成る筒状体であって、その内部空間の略中心位置には、ダイヤル３２の回動量を検知するためのボリューム部材（図示せず）が設置されている。
ダイヤル３２は、円盤形状の回転板であり、その周縁部には複数の指かけ凸部が設けられている。また、ダイヤル３２は、図５に示すように、その周縁部後端に突起状の係止部３２ａを備えており、後述するように、その係止部３２ａは、ダイヤル３２が初期回動位置にある時、発射停止ボタン３０の凹部３０ｆと嵌合する。
【００２３】
そして以下に、発射停止装置２９について、図６を用いて詳細に説明する。図６は、図４のＡ−Ａ線に沿った断面説明図である。発射停止装置２９は、発射停止スイッチ３７と発射停止スイッチ３７を作動させる発射停止ボタン３０とから構成されている。
発射停止スイッチ３７は、発射停止スイッチ３７本体と、操作バー３７ａと、突起部３７ｂとから構成されている。
操作バー３７ａは、発射停止スイッチ３７本体の前方近傍から後方に向け直線状に突出した板状部材で、突起部３７ｂと常時接触した状態にある。突起部３７ｂは、発射停止スイッチ３７本体から突出しており、本体内部側がバネによって支持されることで出没可能となっている。
したがって操作バー３７ａが内方向側へ傾斜すると、操作バー３７ａによって突起部３７ｂが内方向側へ押し込まれ、それを発射装置１０が遊技球の発射停止のＯＮとして検知し、遊技球の発射を停止する。
一方、操作バー３７ａによる突起部３７ｂの内方向側への押し込みが解除されると、突起部３７ｂをバネが付勢し、それを発射装置１０が遊技球の発射停止のＯＦＦとして検知し、遊技球の発射を開始する。
【００２４】
発射停止ボタン３０は、筒状部材３１の切り欠き３１ａから筒状部材３１の内外にわたって設けられたブロック体であって、軸３０ｄを中心として前後方向へ揺動可能に取り付けられている。通常、発射停止ボタン３０は、突起部３７ｂを付勢するバネによって、操作バー３７ａを介して前方に付勢されている。そして、発射停止ボタン３０がこのように前方にせり出している時は、上述したように遊技球の発射停止スイッチ３７がＯＦＦとなるため、この発射停止ボタン３０の位置を解除位置とする。
逆に、発射停止ボタン３０が後方に傾斜している時は、操作バー３７ａによる突起部３７ｂの押し込みによって発射停止スイッチ３７がＯＮとなるため、この発射停止ボタン３０の位置を停止位置とする。
【００２５】
また、発射停止ボタン３０の筒状部材３１内方向側の端部は、発射停止スイッチ３７を操作するスイッチ操作部３０ｃとされており、発射停止ボタン３０の停止位置への移動に応じて、操作バー３７ａを介し、突起部３７ｂが発射停止スイッチ３７をＯＮにするまで押し込み操作可能となっている。さらに、発射停止ボタン３０の筒状部材３１外方側の端部は、遊技者により操作される操作面３０ａとされている。該操作面３０ａは、前後方向へ幅広に形成されており、その前端部３０ｅは、解除位置において、ダイヤル３２の後端縁を非接触で覆っている。また、操作面３０ａは、前方から後方へかけて徐々に外方（筒状部材３１の径方向において外方）へせり出すテーパ面に形成されている。さらに、前端部３０ｅの内面（ダイヤル３２と対向する側の面）は、後方へ凹む凹部３０ｆへ連続しており、当該凹部３０ｆ内には、ダイヤル３２の後端縁に設けられた係止部３２ａが嵌入可能となっている。加えて、発射停止ボタン３０の後面で、筒状部材３１の外方となる位置には突起３０ｂが突設されている。当該突起３０ｂは、発射停止ボタン３０の停止位置への移動に伴い、筒状部材３１の周面（切り欠き３１ａの周縁部）に当接して、更なる発射停止スイッチ３７操作方向への揺動を規制可能としている。
【００２６】
次に、上述した発射停止装置２９を用いて、遊技球の発射を停止する動作を、図６〜８を用いて説明する。
パチンコ機１が遊技動作していないとき、発射ハンドル９のダイヤル３２は、発射装置１０を作動させない初期回動位置に位置している。ダイヤル３２が初期回動位置にある時、図６に示すように、ダイヤル３２に設けられた係止部３２ａが発射ハンドル９の側方に位置し、発射停止ボタン３０の凹部３０ｆに嵌入する。ダイヤル３２の係止部３２ａは、図５（ａ）に示すように、回動方向に徐々に肉厚に形成され、また、図５（ｂ）に示すように、被係止部と最初に接触する箇所が斜め形状に形成されている。よって、係止部３２ａは、最も肉薄な部分から凹部３０ｆに嵌入し、凹部３０ｆへの嵌入が容易である。そして、発射停止ボタン３０は、係止部３２ａの凹部３０ｆへの嵌入によって、軸３０ｄを中心に揺動し、停止位置まで移動する。発射停止ボタン３０の停止位置への移動により、発射停止ボタン３０のスイッチ操作部３０ｃが操作バー３７ａを内方向側へ傾斜させる。その傾斜した操作バー３７ａが突起部３７ｄを押し込むことで、発射停止スイッチ３７がＯＮとなる。したがって、発射装置１０は発射停止の状態を持続する。
【００２７】
ここで、遊技者がパチンコ機１で遊技を行う際は、まず発射ハンドル９を握持し、そのまま発射ハンドル９のダイヤル３２を時計回り方向へ回動操作する。すると、筒状部材３１内部に設置されたボリューム部材がダイヤル３２の回動量を検知し、発射装置１０に対してダイヤル３２の回動量に応じた発射信号を送信する。それを基に、発射装置１０は遊技球を回動量に応じた強度で発射する。
パチンコ機１が上述したような遊技状態にある場合、図７に示すように、発射停止ボタン３０が係止部３２ａの嵌合から解除され、解除位置に移動するため、スイッチ操作部３０ｃの操作バー３７ａへの押し込みがなくなる。そのため、操作バー３７ａによる突起部３７ｂの押し込みもなくなり、発射停止スイッチ３７がＯＦＦとなる。したがって、ダイヤル３２の回動操作中は、発射装置１０が順次遊技球の発射を行う。
【００２８】
また、遊技中に遊技球の発射を停止する場合は、遊技者は、ダイヤル３２を回動させたまま、発射停止ボタン３０を指で後方に押し込む。すると、発射停止ボタン３０が、図８に示すように、停止位置に移動する。そして、スイッチ操作部３０ｃが操作バー３７ａを内方向側へ傾け、それによって操作バー３７ａが突起部３７ｂを押し込むことで、発射停止スイッチ３７がＯＮとなる。したがって、発射装置１０は遊技球の発射を停止する。
尚、遊技球を再度発射する際には、遊技者が発射停止ボタン３０の操作面３０ａから指を離すと、バネによる突起部３７ｂの付勢によって発射停止ボタン３０が解除位置に戻る。したがって、上述したように突起部３７ｂの押し込みがなくなり発射停止スイッチ３７がＯＦＦとなることで、発射装置１０が遊技球の発射を再開する。
【００２９】
上記実施例によれば、遊技球の発射を停止する場合、発射停止ボタン３０を前後方向に操作し停止位置に移動させるだけで、発射停止スイッチ３７を操作することが可能である。よって、従来のパチンコ機のように、発射停止ボタン３０を押し込むためにストローク部分を突出させる必要が無いため、発射ハンドル９の構造をコンパクトにすることができる。
また、上記実施例によれば、発射停止ボタン３０の前端部３０ｅが、従来の発射停止ボタン３０に比べて、より前方にせり出し、ダイヤル３２にかぶるように設置されているため、遊技者がハンドルを把持した状態であっても、発射停止ボタン３０を押し込みやすく、操作しやすい。
さらに、パチンコ機１が遊技動作をしていない時には、ダイヤル３２が初期回動位置に戻るため、ダイヤル３２の係止部３２ａが発射停止ボタン３０の凹部３０ｆに嵌合する。そのため、発射停止ボタン３０が停止位置に移動し、操作バー３７ａによる突起部３７ｂの押し込みで発射停止スイッチ３７がＯＮとなり、遊技球の発射を確実に停止することができる。
加えて、遊技者が発射停止ボタン３０を必要以上に強く押し込んだとしても、発射停止ボタン３０後部に設けられた突起３０ｂが筒状部材３１と接触するため、発射停止ボタン３０が過剰に揺動することを抑制し、部材が壊れない。
【００３０】
以上、本発明を実施するための最良の実施の形態を挙げて説明したが、本発明はこの実施の形態に限定されるものではなく、本発明の要旨を逸脱しない範囲において、種々の改良および設計の変更が可能である。
本実施例においては、発射停止ボタン３０は、揺動操作により前後方向へ移動するが、図９（ａ）に示すように、コイルバネ４０ａを用いたスライド操作によって、発射停止ボタン４０を前後方向へ移動させることも可能である。尚、この発射停止ボタン４０を用いた発射ハンドル９においても、ダイヤル３２が初期回動位置に戻った際には、図９（ｂ）に示すように、ダイヤル３２の係止部３２ａが発射停止ボタン３０の凹部３０ｆに嵌合することで、操作バー３７ａによる突起部３７ｂの押し込みが発射停止スイッチ３７をＯＮにし、遊技球の発射を停止する。
また、本実施例では、発射停止ボタン３０は、突起部３７ｂを付勢するバネによって、前方に移動するようにしているが、例えば軸３０ｄにねじりコイルバネを設けて、その付勢によって、前方に移動するようにしてもよい。
さらに、本実施例においては、発射停止ボタン３０を後方に押し続けることで、その位置を保持しているが、たとえば、発射停止ボタン３０にロック手段を設けることで、指を離してもその位置が保持されるようにしてもよい。その場合、再度押し込むことで、ロック手段が解除されるとなおよい。
【符号の説明】
【００３１】
１・・パチンコ機、９・・発射ハンドル、１０・・発射装置、２９・・発射停止装置、３０・・発射停止ボタン、３０ｂ・・突起、３０ｅ・・前端部（被覆部）、３０ｆ・・凹部（被係止部）、３１・・筒状部材、３２・・ダイヤル、３２ａ・・係止部、３３・・カバー部材、３７・・発射停止スイッチ。
【図１】
2010220977.tif 000003
【図２】
2010220977.tif 000004
【図３】
2010220977.tif 000005
【図４】
2010220977.tif 000006
【図５】
2010220977.tif 000007
【図６】
2010220977.tif 000008
【図７】
2010220977.tif 000009
【図８】
2010220977.tif 000010
【図９】
2010220977.tif 000011